(57)【特許請求の範囲】
【請求項１】
窓の閉鎖時障子の自由端縁に対向する窓枠の内面及び障子の自由端縁の一方に装着される箱状の機枠と、他方に装着される受け部材とを有し、細長い板状のガードアームの基端の裏面側に植設した支軸を上記機枠の底板に開口した支軸孔に回動かつ傾動可能に枢着することにより、ガードアームを回転自在にかつガードアームの自由端が障子の見付け方向に移動できるように設け、上記ガードアームの自由端の表面側には、周囲に鍔部を残して、受け部材側に突出する係合ピンを植設し、また、ガードアームの基端部側端縁に機枠方向に突出する係合片を一体に突設し、一方、上記受け部材には、係合ピンの出入りを許容する抜き孔と、上下方向に延在し、係合ピンと摺動可能に係合する長孔とを連設した案内孔を形成すると共に、受け部材に重合するようにして、かつ受け部材との間にガードアームの自由端の鍔部を受入れることができる間隙を保って、ガードアーム装置作動時、係合ピンと摺接しない側の長孔の開口端縁部を覆うひさし部材を一体に結合し、更に、ひさし部材が機枠に近接する方向に受け部材を傾斜させ、他方、支軸の内端に形成されたフランジと機枠の底板との間における支軸に嵌装された圧縮コイルばねの弾力により、ガードアームを機枠の底板外面に近接する方向に付勢し、更に、機枠の底板外面には、機枠とガードアームの基端との間で上下方向に移動可能に案内され、上下方向において傾斜する傾斜面を備え、係合ピンが長孔と係合し、ガードアームが傾動するガードアーム装置作動時、上記ガードアームの係合片との干渉を避けるための円弧状の逃げ溝を形成したスライダカムを設け、ガードアームと受部材との係合が解かれ、ガードアームの自由端が障子から離間するガードアーム装置不作動時、逃げ溝の開口を係合片と整合しない位置にまで移動させ、以てガードアームを拘束するようにしたことを特徴とする窓のガードアーム装置。
【発明の詳細な説明】
【０００１】
【発明の属する技術分野】
この発明は、蝶番に支持された通常の窓、縦滑り出し窓或いはドレーキップ窓等の窓のガードアーム装置（以下単にガードアーム装置という）に係り、特に、不作動時ガードアームを固定することができ、しかも作動が確実である新規なガードアーム装置に関する。
【０００２】
【従来の技術】
本発明者等は、先に、特願平１１−３５８０５８号を以て、新規な窓のガードアーム装置（以下単にガードアーム装置という）を提案した。
【０００３】
このガードアーム装置は、窓の閉鎖時障子の自由端縁に対向する窓枠の内面及び障子の自由端縁の一方に装着される箱状の機枠と、他方に装着される受け部材とを有し、細長い板状のガードアームの基端の裏面側に植設した支軸を上記機枠の底板に開口した支軸孔に回動かつ傾動可能に枢着することにより、ガードアームを回転自在にかつガードアームの自由端が障子の見付け方向に移動できるように設け、上記ガードアームの自由端の表面側には、周囲に鍔部を残して、受け部材側に突出する係合ピンを植設し、一方、上記受け部材には、係合ピンの出入りを許容する抜き孔と、上下方向に延在し、係合ピンと摺動可能に係合する長孔とを連設した案内孔を形成すると共に、受け部材に重合するようにして、かつ受け部材との間にガードアームの自由端の鍔部を受入れることができる間隙を保って、ガードアームと干渉しない側の長孔の開口端縁部を覆うひさし部材を一体に結合し、他方、上記支軸の機枠内における内端に係止カムを一体に結合し、この係止カムと機枠の底板との間における支軸に嵌装された圧縮コイルばねの弾力により、ガードアームを機枠の底板外面に接合する方向に付勢し、更に、機枠の底板外面には、上下方向に移動可能に案内され、ガードアームの基端部と機枠外面との間に入り込む傾斜面を備えたスライダカムを設け、また、中央部を機枠の底板に回動自在に支承され、内端の作動部を機枠の側面を挿通させて機枠内に係入させた切替えレバーを設け、上記作動部の内端に植設された駆動ピンを機枠の底板の開口を挿通させてスライダカムに連係させると共に、この切替えレバーをガードアーム装置不作動側に回動させ、スライダカムの傾斜面をガードアームの基端部と機枠の底板外面との間に入り込ませることによりガードアームの自由端を受け部材から離間させたとき、切替えレバーの作動部が上記係止カムの移動軌跡に干渉するようにしたことを特徴とするものである。
【０００４】
【発明が解決しようとする課題】
一般に窓のガードアーム装置は、障子の幅が小さいので、扉のガードアーム装置と比較して水平面内における受け部材とガードアームとの相対角度が大きくなりやすい。
【０００５】
そのため、上記特願平１１−３５８０５８号によるガードアーム装置は、ガードアームの先端の鍔部が受け部材とひさし部材との間で抉られやすい、等改良の余地がある。
【０００６】
この発明は、上記従来のガードアーム装置の不都合を解消し、受け部材とガードアームとの相対角度が大きくなっても確実に作動し、また、不作動時ガードアームを固定することができる窓のガードアーム装置を提供することを目的としている。
【０００７】
【課題を解決するための手段】
上記の目的を達成するため、この発明は、窓の閉鎖時障子の自由端縁に対向する窓枠の内面及び障子の自由端縁の一方に装着される箱状の機枠と、他方に装着される受け部材とを有し、細長い板状のガードアームの基端の裏面側に植設した支軸を上記機枠の底板に開口した支軸孔に回動かつ傾動可能に枢着することにより、ガードアームを回転自在にかつガードアームの自由端が障子の見付け方向に移動できるように設け、上記ガードアームの自由端の表面側には、周囲に鍔部を残して、受け部材側に突出する係合ピンを植設し、また、ガードアームの基端部側端縁に機枠方向に突出する係合片を一体に突設し、一方、上記受け部材には、係合ピンの出入りを許容する抜き孔と、上下方向に延在し、係合ピンと摺動可能に係合する長孔とを連設した案内孔を形成すると共に、受け部材に重合するようにして、かつ受け部材との間にガードアームの自由端の鍔部を受入れることができる間隙を保って、ガードアーム装置作動時、係合ピンと摺接しない側の長孔の開口端縁部を覆うひさし部材を一体に結合し、更に、ひさし部材が機枠に近接する方向に受け部材を傾斜させ、他方、支軸の内端に形成されたフランジと機枠の底板との間における支軸に嵌装された圧縮コイルばねの弾力により、ガードアームを機枠の底板外面に近接する方向に付勢し、更に、機枠の底板外面には、機枠とガードアームの基端との間で上下方向に移動可能に案内され、上下方向において傾斜する傾斜面を備え、係合ピンが長孔と係合し、ガードアームが傾動するガードアーム装置作動時、上記ガードアームの係合片との干渉を避けるための円弧状の逃げ溝を形成したスライダカムを設け、ガードアームと受部材との係合が解かれ、ガードアームの自由端が障子から離間するガードアーム装置不作動時、逃げ溝の開口を係合片と整合しない位置にまで移動させ、以てガードアームを拘束するようにしたことを特徴とする。
【０００８】
【実施例】
以下、この発明の実施例を図面を参照して説明する。
図１において符号１は縦滑り出し窓の障子を、符号２は窓枠を夫々示し、障子の開放時障子１の自由端縁部は矢印Ａ方向に移動するものとする。
【０００９】
窓の閉鎖時障子１の自由側端縁に対向する窓枠２の内面には、機枠３を介して、細長い板状のガードアーム４（図２及び図３参照）が枢着されている。
【００１０】
図示の実施例における機枠３は、図２及び図３に示すように、背面（図３で左側）が開いた縦長で浅い箱状体で、その上下の開口端縁に一体に形成された付番しない取付片をねじ止めされることにより、背面の開口を窓枠２の内面に接合するようにして固着されている。
【００１１】
一方、図３に示すように、ガードアーム４の基端（上端）の裏面、すなわち窓枠２の内面側には、例えばかしめにより、該内面に直交する方向の支軸５が固着されており、この支軸５は、後述するスライダカム６の逃げ穴７（図２及び図３参照）を挿通し、更に機枠３の底面（図３で右側の面）に開口した付番しない支軸孔を遊嵌して機枠３の内部空間に係入している。
【００１２】
また、支軸５の内端に形成されたフランジ８（図３参照）と、機枠３の底面との間における支軸５には、圧縮コイルばねとしてのアームばね９が巻装されている。
【００１３】
上記した構成により、ガードアーム４は支軸５の回りを回動可能に支承されると共に、支軸５が機枠の底面の支軸孔と遊嵌しているので、ガードアームの自由端（図３で下端）が障子１の見付け方向（図３で左右方向）に移動できることになる。
【００１４】
一方、ガードアーム４の自由端の障子１に対向する面には、図２及び図３に示すように、周囲に鍔部１１を残して係合ピン１２が植設されている。
【００１５】
この係合ピン１２に対応して、図１に示すように、障子１の自由端縁には縦長の板状の受け部材１３が上下端部をねじ止めすることにより固定されている。
【００１６】
この受け部材１３は、図４に示すように、下端部に係合ピン１２の出入りを許容する抜き孔１４と、上下方向に延在し、係合ピン１２の摺動可能に係合する長孔１５とを連設した案内孔１６が開口している。
【００１７】
図示の実施例では上記長孔１５は鉛直方向に対し少し傾いているが、この傾きは本発明の必須の構成ではない。
【００１８】
また、図１及び図６に示すように、受け部材１３の一方の側端縁を側方に延長し、これを受け部材１３の中央部に折り返す態様で、ひさし部材１７が受け部材１３に一体に結合されている。
【００１９】
このひさし部材１７は、受け部材１３との間にガードアームの鍔部１１を受入れることができる間隙を保って、ガードアーム４と干渉しない側、換言すれば、ガードアーム装置作動時係合ピン１２と摺接しない側の長孔の開口端縁部（図１で外部空間側の開口端縁部）を覆っている。
【００２０】
更にまた、図１及び図６に示すように、ひさし部材１７が機枠３に近接するように、受け部材１３が傾斜している。
【００２１】
他方、図２及び図３に示すように、機枠３の表面、すなわち機枠３の底面の外面とガードアーム４との間には前記スライダカム６が上下方向に移動可能に支持、案内されている。
【００２２】
このスライダカム６は、図３、図７及び図８に示すように、全体の形状が矩形の偏平な合成樹脂製のブロック体で、図７における左半分に、上下方向における中央を境に上方及び下方ほど薄くなるような斜面１８、１８が対称的に形成されている。
【００２３】
なお、斜面１８を上下に設けるのは、このスライダカム６を障子の左右の開き勝手に応じて上下にひっくり返して装着するためで、図示の実施例では下方の斜面１８のみを用いる。
【００２４】
このスライダカム６は、ガードアーム４の前記支軸５と縦長の逃げ穴７との係合、及び機枠３の表面にかしめ付けられたフランジ付のガイドピン１８とスライダカム６の上部に開口した縦長のガイド孔１９との係合、及び図７において右方の側面に突設された一対のガイドシュー１９、１９を夫々機枠３の底面に開口した案内孔２１、２１（図７参照）に摺動可能に係合させることにより上下方向に移動可能に支承されている。
【００２５】
なお、このスライダカム６の逃げ穴７の一方（左方）の開口端縁部は、弓形のばね部２２を残して肉を盗まれており、後述するようにスライダカム６が上下方向に移動するとき、上昇及び下降の終端においてその作動にクリック感を与える。
【００２６】
また、図２及び図７に示すように、スライダカム６の下方には、ガードアームの支軸５が後述する作動位置にあるとき、換言すれば支軸５が逃げ穴７の上方にあるとき、その支軸５の中心点Ｏを中心とする円弧状の逃げ溝２３が形成されている。
【００２７】
ちなみに、前記した障子の開きの左右勝手に対応して、スライダカム６の上方にも逃げ溝２３が形成されているが、この上方の逃げ溝はスライダカム６の下方の支軸中心点を中心とすることは言うまでも無い。
【００２８】
この逃げ溝２３に対応して、図１乃至図３に示すように、ガードアーム４の基端部側端縁に機枠３方向に突出する係合片が一体に突設されている。
【００２９】
この係合片２４は、図２及び図３に示すガードアーム装置作動時逃げ溝２３に沿って遊動してガードアーム４の回動を許容するが、後述するようにスライダカム６が上昇してガードアーム装置が不作動状態になったとき、係合片２４が逃げ溝２３の開口と整合しなくなり、その結果ガードアーム４はスライダカム６の側端縁によって回動を拘束反される。
【００３０】
更にまた、上記スライダカム６を上下方向に切替駆動するため、図１、図２及び図４に示すように、断面Ｌ字形のスライドプレート２５を介して、摘み２６が一体的に結合されている。
【００３１】
なお、上記スライドプレート２５の折曲げ部は、図１に示すように、スライダカム６を包持するようにしてその底面と係合し、一方、図７及び図８に示すように、スライダカム６の左方の側端縁に突設された一対の係合爪２７、２７がスライドプレート２５に形成された図示しない係合開口と係合することによりスライダカム６とスライドプレート２５とが結合されている。
【００３２】
この場合、スライドプレート２５の折曲げ部には、ガードアームの支軸５と遊嵌する長穴が開口していることは言うまでも無い。
【００３３】
上記のように構成されたこの発明の一実施例によるガードアーム装置は、図４に鎖線で示すように摘み２６が上昇しているときには、図９に示すように、これと一体のスライダカム６はず９で示す位置に下降している。
【００３４】
このときには、アームばね９の弾力によりガードアーム４がスライダカム６がスライダカム６の下方の斜面１８に接合し、その結果図１及び図９にに示すように係合ピン１２が障子側の受け部材１３から離間した待機位置をとり、このガードアーム装置は不作動状態にある。
【００３５】
このときには、前記したようにガードアームの係合片２４がスライダカムの側端縁によって拘束されるから、ガードアーム４は機枠３に固定され、引出されて悪戯されることを防止できる。
【００３６】
このガードアーム装置を作動させるには、図４に実線で示すように摘み２６を押し下げ、スライダカム６を図３に示す下降位置に置く。
【００３７】
すると、ガードアーム４がスライダカムの上下の斜面１８、１８の間の断面山形部に乗り上がるから、ガードアーム４が図３で反時計方向に少し回動し、その自由端の係合ピン１２が右方に移動する。
【００３８】
その結果、ガードアームの係合ピン１２が図１０において向こう側から受け部材１３の抜き孔１４に係入するに致る。
【００３９】
このときには、鍔部１１がひさし部材１７の下方を潜り抜けるから、係合ピン１２が抜き孔１４に係入するに際し何の障害も無い。
【００４０】
この状態で障子１を開けると、換言すれば図１において障子１の自由端を上昇させると、受け部材１３が図１０において右方に移動し、ガードアームの係合ピン１２が長孔に係入すると共にガードアームの鍔部１１が受け部材１３とひさし部材１７との間の間隙に入り込む。
【００４１】
更に障子を開けると、ガードアームの係合ピン１２が長孔１５中を摺り上がりつつガードアーム４の自由端を引っ張るので、障子１はガードアーム４を介して窓枠２に連結された状態で開いていき、係合ピン１２が案内孔１６の上端に致って障子の開度が規制される。
【００４２】
上記したガードアーム装置の作動中は、係合ピン１２を案内孔１６から抜き外そうとする動きは鍔部１１とひさし部材１７との係合によって阻止され、一方、鍔部１１をひさし部材１７と受け部材１３との間の間隙から抜き外そうとする動きは係合ピン１２と案内孔１６との係合によって阻止される。
【００４３】
また、ひさし部材１７が機枠３に近接する方向に受け部材１３が傾斜しているので、図１１に示すように、障子１が開いて受け部材１３とひさし部材１７との間でガードアーム４の自由端部が抉れることも無い。
【００４４】
障子１を閉めると、係合ピン１２は抜き孔１４に戻り、このとき摘み２６を上昇させるとガードアーム４の自由端が障子から離間する方向に移動してガードアーム装置が待機状態に戻る。
【００４５】
【発明の効果】
以上の説明から明らかなように、この発明は、ガードアームの自由端に植設したフランジや鈎の無い通常の短円柱体の係合ピンを受け部材の案内孔に係合させ、係合ピンを案内孔から抜き外そうとする動きをひさし部材で阻止するようにしたので、ガードアーム装置を作動させるときのガードアームの自由端の動きを従来のものより小さくすることができ、限られた窓枠と障子との間のスペースにガードアーム装置を組込むことを可能にすると共に、ガードアーム装置の構造を簡単にすることができる。
【００４６】
また、ひさし部材を機枠に近接する方向に傾斜させて取り付けたので、障子が開いて受け部材とガードアームとの相対角度が変化してもこれらの間に抉りが生じない。
【００４７】
更にまた、同様の理由により、受け部材を取り付ける障子の自由側端縁部に係合ピンとの干渉を避けるための開口を形成する必要が無い。
【００４８】
加えて、ガードアーム装置の不作動時係合片とスライダカムとの係合によりガードアームが機枠に固定されるので、ガードアームを引出されて悪戯されることを防止できる、等種々の効果を奏する。
【図面の簡単な説明】
【図１】この発明の一実施例によるガードアーム装置の平面図。
【図２】その正面図。
【図３】その縦断面図。
【図４】その背面図でガードアーム装置が作動状態にある場合を示す。
【図５】受け部材の背面図。
【図６】受け部材の平面図。
【図７】スライダカムの正面図。
【図８】スライダカムの下面図。
【図９】図３と同様のガードアーム装置の縦断面図で、ガードアーム装置が不作動状態にある場合を示す。
【図１０】図５と同様の受け部材の背面図で、ガードアーム装置作動時におけるガードアームの係合ピンとの係合の態様を示す。
【図１１】ガードアーム装置作動時における受け部材とガードアームとの係合の態様を示す線図的平面図。
【符号の説明】
１  障子
２  窓枠
３  機枠
４  ガードアーム
５  支軸
６  スライダカム
７  逃げ穴
８  フランジ
９  アームばね
１１  鍔部
１２  係合ピン
１３  受け部材
１４  抜き孔
１５  長孔
１６  案内孔
１７  ひさし部材
１８  斜面
２３  逃げ溝
２４  係合片
【図１】
0004152550.tif 000002
【図２】
0004152550.tif 000003
【図３】
0004152550.tif 000004
【図４】
0004152550.tif 000005
【図５】
0004152550.tif 000006
【図６】
0004152550.tif 000007
【図７】
0004152550.tif 000008
【図８】
0004152550.tif 000009
【図９】
0004152550.tif 000010
【図１０】
0004152550.tif 000011
【図１１】
0004152550.tif 000012